(57)【要約】【課題】採用コストに関するリスクを低減すること。【解決手段】本願に係る設定装置は、受付部と、設定部とを有する。受付部は、ユーザが所定の求人情報サービスを通して企業に採用されたことを示すユーザ情報を受け付ける。設定部は、受付部によってユーザ情報が受け付けられた場合に、ユーザの企業における就業期間に応じた報酬であって、企業から所定の求人情報サービスに支払われる報酬を設定する。【選択図】図２
2020086799.tif 000002
【特許請求の範囲】
【請求項１】
ユーザが所定の求人情報サービスを通して企業に採用されたことを示すユーザ情報を受け付ける受付部と、
前記受付部によってユーザ情報が受け付けられた場合に、前記ユーザの前記企業における就業期間に応じた報酬であって、前記企業から前記所定の求人情報サービスに支払われる報酬を設定する設定部と、
を備えることを特徴とする設定装置。
【請求項２】
前記設定部は、
前記就業期間に前記企業から前記ユーザに支払われる給与に基づいて、前記企業から前記所定の求人情報サービスに支払われる報酬を設定する
ことを特徴とする請求項１に記載の設定装置。
【請求項３】
前記設定部は、
前記ユーザに支払われる前記給与の所定の割合を、前記企業から前記所定の求人情報サービスに支払われる報酬として設定する
ことを特徴とする請求項２に記載の設定装置。
【請求項４】
前記設定部は、
就業期間の間に前記企業から前記所定の求人情報サービスに支払われる報酬を定期的に設定する
ことを特徴とする請求項１〜３のうちいずれか１つに記載の設定装置。
【請求項５】
前記設定部は、
前記就業期間の長さに基づいて、前記企業から前記所定の求人情報サービスに支払われる報酬を設定する
ことを特徴とする請求項１〜４のうちいずれか１つに記載の設定装置。
【請求項６】
前記ユーザの就業履歴に基づいて、前記ユーザに提供される金融サービスを決定する決定部をさらに備える
ことを特徴とする請求項１〜５のうちいずれか１つに記載の設定装置。
【請求項７】
前記設定部によって設定された報酬を示す報酬情報を、金融取引を処理する取引処理装置に送信することで、当該報酬の支払処理を制御する支払部をさらに備える
ことを特徴とする請求項１〜６のうちいずれか１つに記載の設定装置。
【請求項８】
前記支払部は、
前記設定部によって設定された報酬が所定のデジタル通貨で支払われることを示す前記報酬情報を、前記取引処理装置に送信することで、当該報酬の支払処理を制御する
ことを特徴とする請求項７に記載の設定装置。
【請求項９】
前記受付部は、
所定の企業に就業したことがあるユーザから紹介された他のユーザが当該所定の企業に採用されたことを示す他のユーザのユーザ情報を受け付け、
前記設定部は、
前記受付部によって他のユーザのユーザ情報が受け付けられた場合に、前記所定の企業に就業したことがあるユーザに支払われる報酬を設定する
ことを特徴とする請求項１〜８のうちいずれか１つに記載の設定装置。
【請求項１０】
コンピュータが実行する設定方法であって、
ユーザが所定の求人情報サービスを通して企業に採用されたことを示すユーザ情報を受け付ける受付工程と、
前記受付工程によってユーザ情報が受け付けられた場合に、前記ユーザの前記企業における就業期間に応じた報酬であって、前記企業から前記所定の求人情報サービスに支払われる報酬を設定する設定工程と、
を含むことを特徴とする設定方法。
【請求項１１】
ユーザが所定の求人情報サービスを通して企業に採用されたことを示すユーザ情報を受け付ける受付手順と、
前記受付手順によってユーザ情報が受け付けられた場合に、前記ユーザの前記企業における就業期間に応じた報酬であって、前記企業から前記所定の求人情報サービスに支払われる報酬を設定する設定手順と、
をコンピュータに実行させることを特徴とする設定プログラム。
【発明の詳細な説明】
【技術分野】
【０００１】
本発明は、設定装置、設定方法及び設定プログラムに関する。
【背景技術】
【０００２】
従来、ネットワーク上の求人や求職をサポートする技術が提案されている。例えば、求人広告を提示するための広告スペースを無料で提供するシステムが提案されている（特許文献１）。このシステムでは、求職者が企業に採用された場合に、広告スペースの提供者は、成功報酬を企業から受け取る。一方、求職者は、広告スペースの提供者から祝い金を受け取る。
【先行技術文献】
【特許文献】
【０００３】
【特許文献１】特開２００７−１１４９４９号公報
【発明の概要】
【発明が解決しようとする課題】
【０００４】
しかしながら、上記の従来技術には、改善の余地がある。例えば、上記の従来技術では、成功報酬が、採用の決定時に、企業から広告スペースの提供者に支払われる。このため、採用された求職者が早期に離職した場合には、成功報酬が無駄になる可能性がある。
【０００５】
本願は、上記に鑑みてなされたものであって、採用コストに関するリスクを低減できる設定装置、設定方法及び設定プログラムを提供することを目的とする。
【０００６】
本願に係る設定装置は、ユーザが所定の求人情報サービスを通して企業に採用されたことを示すユーザ情報を受け付ける受付部と、前記受付部によってユーザ情報が受け付けられた場合に、前記ユーザの前記企業における就業期間に応じた報酬であって、前記企業から前記所定の求人情報サービスに支払われる報酬を設定する設定部とを備えることを特徴とする。
【発明の効果】
【０００７】
実施形態の一態様によれば、採用コストに関するリスクを低減できるという効果を奏する。
【図面の簡単な説明】
【０００８】
【図１】図１は、実施形態に係る設定処理の一例を示す図である。
【図２】図２は、実施形態に係る設定装置の構成例を示す図である。
【図３】図３は、実施形態に係る報酬モデル記憶部の一例を示す図である。
【図４】図４は、実施形態に係る給与情報記憶部の一例を示す図である。
【図５】図５は、実施形態に係る報酬情報記憶部の一例を示す図である。
【図６】図６は、実施形態に係る設定装置による設定処理手順を示すフローチャートである。
【図７】図７は、変形例に係る設定処理の一例を示す図である。
【図８】図８は、ハードウェア構成の一例を示す図である。
【発明を実施するための形態】
【０００９】
以下に、本願に係る設定装置、設定方法及び設定プログラムを実施するための形態（以下、「実施形態」と呼ぶ）について図面を参照しつつ詳細に説明する。なお、この実施形態により本願に係る設定装置、設定方法及び設定プログラムが限定されるものではない。また、各実施形態は、処理内容を矛盾させない範囲で適宜組み合わせることが可能である。また、以下の各実施形態において同一の部位には同一の符号を付し、重複する説明は省略する。
【００１０】
〔１．設定処理〕
まず、図１を参照して、実施形態に係る設定処理の一例について説明する。図１は、実施形態に係る設定処理の一例を示す図である。図１の例では、実施形態に係る設定システム１によって設定処理が行われる。
【００１１】
図１に示すように、設定システム１には、ユーザ装置１０と、企業装置２０と、設定装置１００と、金融機関装置２００と、デジタル通貨装置３００とが含まれる。図１中では図示していないが、設定システム１は、複数台のユーザ装置１０や、複数台の企業装置２０や、複数台の設定装置１００や、複数台の金融機関装置２００や、複数台のデジタル通貨装置３００を含んでもよい。
【００１２】
ユーザ装置１０は、ユーザによって利用される情報処理装置である。また、企業装置２０は、企業の情報処理装置である。図１の例では、ユーザ装置１０は、ユーザＵ１によって利用される端末装置である。また、企業装置２０は、企業Ｃ１の端末装置である。ユーザ装置１０および企業装置２０は、デスクトップ型ＰＣ（Personal  Computer）、ノート型ＰＣ、スマートフォン、タブレット型ＰＣを含む、任意のタイプの情報処理装置であってもよい。
【００１３】
設定装置１００は、求人情報サービスを提供する情報処理装置である。図１の例では、設定装置１００は、求人情報検索サービス（例えば、求人サイト）を提供するサーバ装置である。図１中では図示していないが、設定装置１００は、ネットワーク網（例えば、インターネット網）を介して、有線又は無線によりユーザ装置１０、企業装置２０、金融機関装置２００およびデジタル通貨装置３００と通信を行う。
【００１４】
金融機関装置２００は、金融取引を処理する取引処理装置である。図１の例では、金融機関装置２００は、金融機関Ｂ１（例えば、ネット銀行）によって管理されるサーバ装置である。
【００１５】
デジタル通貨装置３００は、金融取引を処理する取引処理装置である。例えば、デジタル通貨装置３００は、デジタル通貨を用いた金融取引を処理する。図１の例では、デジタル通貨装置３００は、デジタル通貨Ｄ１（例えば、電子マネー）を管理するサーバ装置である。
【００１６】
ところで、従来、求人情報サービスの報酬モデルとして、次の２つの報酬モデルが提案されている。１つめの報酬モデルは、「掲載料モデル」である。掲載料モデルでは、求人情報の掲載料が、求人情報の掲載時に、企業から求人情報サービスに支払われる。２つめの報酬モデルは、「成果報酬モデル」である。成果報酬モデルでは、成果報酬が、採用の決定時に、企業から求人情報サービスに支払われる。このような成果報酬モデルでは、祝い金が、採用の決定時に、求人情報サービスから求職者に支払われる場合もある。
【００１７】
しかしながら、上述の２つの報酬モデルには、採用コストが無駄になるリスクがある。例えば、上述の掲載料モデルでは、就労者が採用されなかった場合に、掲載料が無駄になってしまう。一方、上述の成果報酬モデルでは、採用された求職者がすぐに仕事を辞めた場合に、成功報酬や祝い金が無駄になってしまう。
【００１８】
以下に説明される設定処理の一例では、採用におけるリスク（例えば、早期離職）が軽減されるように、就業期間に連動して採用の報酬が設定される。
【００１９】
はじめに、設定装置１００は、求人情報サービスを提供する（ステップＳ１１）。図１の例では、設定装置１００は、ユーザＵ１が求人情報を検索することができる求人情報検索サービスを、ユーザ装置１０に提供する。
【００２０】
次いで、設定装置１００は、採用決定の通知を受信する（ステップＳ１２）。図１の例では、設定装置１００は、ユーザＵ１が上記の求人情報サービスを経由して企業Ｃ１に採用されたという通知を、ユーザ装置１０から受信する。
【００２１】
次いで、設定装置１００は、採用決定の確認要求を送信する（ステップＳ１３）。図１の例では、設定装置１００は、ユーザＵ１の採用決定の確認要求を、企業Ｃ１の企業装置２０に送信する。
【００２２】
図１の例において、設定装置１００は、ユーザＵ１が企業Ｃ１に採用されたことを確認した確認情報を企業装置２０から受信した場合に、設定装置１００は、企業Ｃ１から給与を受け取るための口座の口座情報の要求を、ユーザ装置１０に送信する。設定装置１００からの要求の受信に応じて、ユーザ装置１０は、ユーザＵ１の金融機関Ｂ１の口座情報を、給与受取口座の口座情報として設定装置１００に提供する。ユーザＵ１の金融機関Ｂ１の口座情報は、例えば、金融機関Ｂ１の名称、金融機関Ｂ１の識別番号（例えば、銀行番号や支店番号）、口座の種類、口座の番号等の情報を含む。
【００２３】
上記の金融機関Ｂ１の口座情報に加えて、設定装置１００は、上記の求人情報サービスからインセンティブを受け取るための口座の口座情報の要求をユーザ装置１０に送信する。設定装置１００からの要求の受信に応じて、ユーザ装置１０は、ユーザＵ１のデジタル通貨Ｄ１の口座情報を、インセンティブ受取口座の口座情報として設定装置１００に提供する。デジタル通貨Ｄ１の例として、電子マネー（例えば、特定の種類の電子マネー）が挙げられる。デジタル通貨Ｄ１が電子マネーである場合、ユーザ装置１０は、ユーザＵ１の電子マネーのアカウントを、インセンティブを受け取るためのアカウントとして、設定装置１００に提供する。なお、上述のインセンティブは、以下で説明されるように、求人情報サービスからユーザＵ１にデジタル通貨Ｄ１で支払われる報酬に相当する。
【００２４】
次いで、企業装置２０は、給与の支払処理を要求する（ステップＳ１４）。図１の例では、企業Ｃ１の企業装置２０が、ユーザＵ１の給与の支払処理を、金融機関Ｂ１の金融機関装置２００に要求する。
【００２５】
次いで、設定装置１００は、給与額の提供要求を送信する（ステップＳ１５）。図１の例では、設定装置１００は、ユーザ装置１０から提供された金融機関Ｂ１の口座情報に基づいて、ユーザＵ１の給与額の提供要求を、金融機関Ｂ１の金融機関装置２００に送信する。
【００２６】
次いで、金融機関装置２００は、給与額を提供する（ステップＳ１６）。図１の例では、金融機関Ｂ１の金融機関装置２００が、ユーザＵ１の給与額を、設定装置１００に提供する。
【００２７】
図１の例においては、設定装置１００は、給与額の提供要求を金融機関装置２００に送信しているが、これに限定されるものではない。別の例においては、設定装置１００は、ユーザＵ１の金融機関Ｂ１の口座情報を用いて、ユーザＵ１の給与額（すなわち、給与振込額）を取得してもよい。すなわち、設定装置１００は、ユーザＵ１の給与額を金融機関Ｂ１に問い合わせずに、ユーザＵ１の給与額を取得してもよい。例えば、設定装置１００は、ユーザＵ１の金融機関Ｂ１の口座情報を用いて、金融機関Ｂ１のデータベース内のユーザＵ１の取引情報（すなわち、トランザクションデータ）を参照する。ユーザＵ１の取引情報は、例えば、支払人（例えば、企業Ｃ１）の識別子、支払人の口座情報、受取人（すなわち、ユーザＵ１）の識別子、受取人の口座情報、支払額等の情報を含む。設定装置１００は、このような取引情報を参照することによって、ユーザのＵ１の給与額を取得してもよい。
【００２８】
次いで、設定装置１００は、就業期間に応じた成果報酬とインセンティブを設定する（ステップＳ１７）。例えば、設定装置１００は、給与額に基づいて、就業期間の間に支払われる成果報酬とインセンティブを設定する。図１の例では、設定装置１００は、金融機関装置２００から提供されたユーザＵ１の給与額に基づいて、ユーザＵ１の企業Ｃ１における就業期間の間に企業Ｃ１から上記の求人情報サービスに支払われる成果報酬を設定する。さらに、設定装置１００は、金融機関装置２００から提供されたユーザＵ１の給与額に基づいて、ユーザＵ１の企業Ｃ１における就業期間の間に上記の求人情報サービスからユーザＵ１に支払われるインセンティブを設定する。
【００２９】
例えば、設定装置１００は、ある月の給与額の所定割合（例えば、５％）をその月の成果報酬として設定する。さらに、設定装置１００は、ある月の給与額の所定割合（例えば、３％）をその月のインセンティブとして設定する。例として、ユーザＵ１のある月の給与額が「１０万円」であると仮定する。この例では、設定装置１００は、「５０００円（すなわち、１０万円の５％）」をその月の成果報酬として設定する。さらに、設定装置１００は、「３０００円（すなわち、１０万円の３％）」をその月のインセンティブとして設定する。この場合、５０００円の成果報酬が、３０００円のインセンティブの原資となる。なお、設定装置１００は、ある就業期間に応じた成果報酬として、所定額の成果報酬を設定してもよい。言い換えると、ある就業期間に応じた成果報酬の額は、固定されていてもよい。一例として、１カ月の成果報酬の額が、所定額（例えば、「５０００円」）に固定されていてもよい。
【００３０】
次いで、設定装置１００は、成果報酬の支払要求を送信する（ステップＳ１８）。図１の例では、設定装置１００は、設定された成果報酬の支払要求を、企業装置２０に送信する。
【００３１】
その後、設定装置１００は、インセンティブの支払処理を要求する（ステップＳ１９）。図１の例では、設定装置１００は、ユーザ装置１０から提供されたデジタル通貨Ｄ１の口座情報に基づいて、設定されたインセンティブの支払処理を、デジタル通貨装置３００に要求する。設定装置１００からの要求に応じて、デジタル通貨装置３００は、所定の口座（例えば、上記の求人情報サービスの口座）からユーザＵ１の口座へインセンティブをデジタル通貨Ｄ１で支払う。デジタル通貨Ｄ１は、例えば、所定のサービス（例えば、上記の求人情報サービスに対応する企業のサービス）で利用可能な電子マネーである。
【００３２】
上述のように、実施形態に係る設定装置１００は、ユーザ（例えば、ユーザＵ１）が求人情報サービスを通して企業（例えば、企業Ｃ１）に採用された場合に、ユーザの企業における就業期間に応じた成果報酬およびインセンティブを設定する。例えば、設定装置１００は、ユーザの企業における就業期間の間に支払われる成果報酬およびインセンティブを設定する。これにより、設定装置１００は、企業とユーザ（すなわち、求職者）の双方にとって有用な採用の仕組みを提供することができる。
【００３３】
例えば、設定装置１００は、ユーザのある月の給与額に基づいて、その月の給与額の所定割合（例えば、５％）を、企業から求人情報サービスに支払われる成果報酬として設定する。これにより、設定装置１００は、採用されたユーザがすぐに仕事を辞めた場合でも、採用コストの無駄を抑制することができる。
【００３４】
また、例えば、設定装置１００は、ユーザのある月の給与額に基づいて、その月の給与額の所定割合（例えば、３％）を、求人情報サービスからユーザに支払われるインセンティブとして設定する。この場合、ユーザが企業で長く働くほど、より大きなインセンティブがユーザに支払われる。このため、設定装置１００は、企業で長く働くインセンティブ（動機付け）をユーザに与えることができる。このことは、採用されたユーザがすぐに仕事を辞めるリスクを低減して企業に安心感を与えることができる。以下、このような設定処理を実現する設定装置１００について詳細に説明する。
【００３５】
〔２．設定装置の構成〕
次に、図２を参照して、実施形態に係る設定装置１００の構成例について説明する。図２は、実施形態に係る設定装置１００の構成例を示す図である。図２に示すように、設定装置１００は、通信部１１０と、記憶部１２０と、制御部１３０とを有する。なお、設定装置１００は、設定装置１００を利用する管理者等から各種操作を受け付ける入力部（例えば、キーボードやマウス等）や、各種情報を表示するための表示部（液晶ディスプレイ等）を有してもよい。
【００３６】
（通信部１１０）
通信部１１０は、例えば、ＮＩＣ（Network  Interface  Card）等によって実現される。通信部１１０は、ネットワーク網と有線又は無線により接続され、ネットワーク網を介して、ユーザ装置１０、企業装置２０、金融機関装置２００およびデジタル通貨装置３００との間で情報の送受信を行う。
【００３７】
（記憶部１２０）
記憶部１２０は、例えば、ＲＡＭ（Random  Access  Memory)、フラッシュメモリ（Flash  Memory）等の半導体メモリ素子、または、ハードディスク、光ディスク等の記憶装置によって実現される。図２に示すように、記憶部１２０は、報酬モデル情報記憶部１２１と、給与情報記憶部１２２と、報酬情報記憶部１２３とを有する。
【００３８】
（報酬モデル情報記憶部１２１）
図３は、実施形態に係る報酬モデル情報記憶部１２１の一例を示す図である。報酬モデル情報記憶部１２１は、報酬モデルの報酬モデル情報を記憶する。例えば、報酬モデル情報記憶部１２１は、受信部１３３によって受信された報酬モデル情報を記憶する。図３の例では、報酬モデル情報記憶部１２１には、「報酬モデル情報」が「ユーザＩＤ」および「企業ＩＤ」ごとに記憶される。例示として、「報酬モデル情報」には、項目「企業から求人情報サービス」および「求人情報サービスからユーザ」が含まれる。
【００３９】
「ユーザＩＤ」は、ユーザを識別するための識別子を示す。「企業ＩＤ」は、企業を識別するための識別子を示す。「企業から求人情報サービス」は、ユーザの企業における就業期間の間に企業から求人情報サービスに支払われる報酬のモデルを示す。「求人情報サービスからユーザ」は、ユーザの企業における就業期間の間に求人情報サービスからユーザに支払われる報酬のモデルを示す。
【００４０】
例えば、図３は、ユーザＩＤ「Ｕ１」で識別されるユーザの企業ＩＤ「Ｃ１」で識別される企業における就業期間の間に企業から求人情報サービスに支払われる報酬が、ユーザの「月給×５％」であることを示している。すなわち、就業期間の間に企業から求人情報サービスに支払われる報酬は、月額「ユーザの月給×５％」である。
【００４１】
また、例えば、図３は、ユーザＩＤ「Ｕ１」で識別されるユーザの企業ＩＤ「Ｃ１」で識別される企業における就業期間の間に求人情報サービスからユーザに支払われる報酬が、ユーザの「月給×３％」であることを示している。すなわち、就業期間の間に求人情報サービスからユーザに支払われる報酬は、月額「ユーザの月給×３％」である。
【００４２】
（給与情報記憶部１２２）
図４は、実施形態に係る給与情報記憶部１２２の一例を示す図である。給与情報記憶部１２２は、ユーザの給与の給与情報を記憶する。例えば、給与情報記憶部１２２は、受信部１３３によって受信された給与情報を記憶する。図４の例では、給与情報記憶部１２２には、「給与情報」が「ユーザＩＤ」、「企業ＩＤ」および「支払日」ごとに記憶される。例示として、「給与情報」には、項目「月給（円）」が含まれる。
【００４３】
上述のように、「ユーザＩＤ」は、ユーザを識別するための識別子を示す。また、上述のように、「企業ＩＤ」は、企業を識別するための識別子を示す。「支払日」は、給与が企業からユーザに支払われた日を示す。「月給（円）」は、ユーザの月給を示す。
【００４４】
例えば、図４は、月給「１００，０００（円）」が、企業ＩＤ「Ｃ１」で識別される企業からユーザＩＤ「Ｕ１」で識別されるユーザに、「２０１８年９月２０日」に支払われたことを示している。
【００４５】
（報酬情報記憶部１２３）
図５は、実施形態に係る報酬情報記憶部１２３の一例を示す図である。報酬情報記憶部１２３は、採用の報酬の報酬情報を記憶する。例えば、報酬情報記憶部１２３は、設定部１３５によって生成された報酬情報を記憶する。図５の例では、報酬情報記憶部１２３には、「報酬情報」が「ユーザＩＤ」、「企業ＩＤ」および「給与の支払日」ごとに記憶される。例示として、「報酬情報」には、項目「企業から求人情報サービス（円）」および「求人情報サービスからユーザ（円）」が含まれる。
【００４６】
上述のように、「ユーザＩＤ」は、ユーザを識別するための識別子を示す。また、上述のように、「企業ＩＤ」は、企業を識別するための識別子を示す。「給与の支払日」は、例えば、給与が企業からユーザに支払われた日を示す。給与の支払日は、給与の支払予定日を示してもよい。「企業から求人情報サービス（円）」は、企業から求人情報サービスに支払われる報酬であって、各給与の支払日に対応する報酬を示す。言い換えると、「企業から求人情報サービス（円）」は、企業から求人情報サービスに支払われ、かつ各給与の支払日に対応する報酬を示す。「求人情報サービスからユーザ（円）」は、求人情報サービスからユーザに支払われる報酬であって、各給与の支払日に対応する報酬を示す。言い換えると、「求人情報サービスからユーザ（円）」は、求人情報サービスからユーザに支払われ、かつ各給与の支払日に対応する報酬を示す。
【００４７】
例えば、図５は、企業ＩＤ「Ｃ１」で識別される企業から求人情報サービスに支払われる報酬であって、給与の支払日「２０１８年９月２０日」に対応する報酬が、「５，０００（円）」であることを示している。
【００４８】
また、例えば、図５は、求人情報サービスからユーザＩＤ「Ｕ１」で識別されるユーザに支払われる報酬であって、給与の支払日「２０１８年９月２０日」に対応する報酬が、「３，０００（円）」であることを示している。
【００４９】
（制御部１３０）
制御部１３０は、コントローラ（controller）であり、例えば、ＣＰＵ（Central  Processing  Unit）、ＭＰＵ（Micro  Processing  Unit）等のプロセッサによって、設定装置１００内部の記憶装置に記憶されている各種プログラム（設定プログラムの一例に相当）がＲＡＭ等を作業領域として実行されることにより実現される。また、制御部１３０は、コントローラ（controller）であり、例えば、ＡＳＩＣ（Application  Specific  Integrated  Circuit）やＦＰＧＡ（Field  Programmable  Gate  Array）等の集積回路により実現されてもよい。
【００５０】
制御部１３０は、図２に示すように、受付部１３１と、要求部１３２と、受信部１３３と、取得部１３４と、設定部１３５と、支払部１３６と、提供部１３７とを有し、以下に説明する情報処理の機能や作用を実現又は実行する。なお、制御部１３０の内部構成は、図２に示した構成に限られず、後述する情報処理を行う構成であれば他の構成であってもよい。
【００５１】
（受付部１３１）
受付部１３１は、ユーザが所定の求人情報サービスを通して企業に採用されたことを示すユーザ情報を受け付ける。例えば、受付部１３１は、ユーザが所定の求人情報サービスを通して企業に採用されたことを示すユーザ情報を受け付けるためのコンテンツ項目を含むコンテンツを、ユーザ装置１０に提供する。そして、受付部１３１は、提供されたコンテンツを介して、ユーザが所定の求人情報サービスを通して企業に採用されたことを示すユーザ情報を受け付ける。
【００５２】
受付部１３１は、ユーザが所定の求人情報サービスを通して企業に採用されたことを示すユーザ情報を、ユーザインタフェースを介して、設定装置１００のユーザから受け付けてもよい。
【００５３】
上述のユーザ情報は、例えば、ユーザを特定する第１の情報（例えば、ユーザの名前またはＩＤ）と、第１の情報に関連付けられた第２の情報であって、企業を特定する第２の情報（例えば、企業の名称またはＩＤ）とを含む。
【００５４】
一例では、受付部１３１は、採用決定の通知を受信する。例えば、ユーザが所定の求人情報サービスを経由して企業に採用されたという通知を、ユーザ装置１０から受信する。例えば、受付部１３１は、採用の決定を報告するためのウェブコンテンツ（例えば、アンケート）を、ユーザ装置１０に提供する。そして、受付部１３１は、提供されたウェブコンテンツを介して、採用決定の報告を、ユーザ装置１０から受信する。
【００５５】
（要求部１３２）
要求部１３２は、ユーザが所定の求人情報サービスを通して企業に採用されたことを確認することを求める要求を、企業の企業装置２０に送信する。
【００５６】
一例では、要求部１３２は、採用決定の確認要求を送信する。例えば、要求部１３２は、ユーザの採用決定の確認要求を、企業の企業装置２０に送信する。
【００５７】
ユーザが企業に採用されたことを確認した確認情報が、受信部１３３によって企業装置２０から受信された場合に、要求部１３２は、企業から給与を受け取るための口座の口座情報の要求を、ユーザ装置１０に送信してもよい。要求部１３２からの要求の受信に応じて、ユーザ装置１０は、ユーザの金融機関の口座情報を、給与受取口座の口座情報として設定装置１００に提供してもよい。
【００５８】
上記の金融機関の口座情報に加えて、要求部１３２は、所定の求人情報サービスからインセンティブを受け取るための口座の口座情報の要求をユーザ装置１０に送信してもよい。要求部１３２からの要求の受信に応じて、ユーザ装置１０は、ユーザのデジタル通貨の口座情報を、インセンティブ受取口座の口座情報として設定装置１００に提供してもよい。
【００５９】
要求部１３２は、ユーザの給与額を提供することを求める要求を、金融機関の金融機関装置２００に送信する。要求部１３２は、ユーザの給与額を提供することを求める要求を、金融機関の金融機関装置２００に定期的に送信してもよい。所定の求人情報サービスに対応する企業は、金融機関装置２００に対応する金融機関の関係企業またはグループ企業であってもよい。
【００６０】
要求部１３２は、給与額の提供についての承認を求める要求を、金融機関の金融機関装置２００に送信してもよい。要求部１３２は、給与額の提供の承認を示す承認情報が受信部１３３によって金融機関装置２００から受信された場合に、給与額を提供することを求める要求を、金融機関装置２００に送信してもよい。
【００６１】
一例では、要求部１３２は、給与額の提供要求を送信する。例えば、要求部１３２は、ユーザ装置１０から提供された金融機関の口座情報に基づいて、ユーザの給与額の提供要求を、金融機関の金融機関装置２００に送信する。ユーザの金融機関の口座情報が、受信部１３３によってユーザ装置１０から受信された場合に、要求部１３２は、受信された金融機関の口座情報に基づいて、ユーザの給与額の提供要求を、金融機関の金融機関装置２００に送信してもよい。
【００６２】
別の例では、要求部１３２は、ユーザの金融機関の口座情報を用いて、ユーザの給与額（すなわち、給与振込額）を取得してもよい。例えば、要求部１３２は、ユーザ装置１０から提供された金融機関の口座情報を用いて、ユーザの給与額を取得してもよい。この例では、要求部１３２は、ユーザの給与額を金融機関に問い合わせずに、ユーザの給与額を取得してもよい。例えば、要求部１３２は、ユーザの金融機関の口座情報を用いて、金融機関のデータベース内のユーザの取引情報（すなわち、トランザクションデータ）を参照する。ユーザの取引情報は、例えば、支払人（例えば、企業）の識別子、支払人の口座情報、受取人（すなわち、ユーザ）の識別子、受取人の口座情報、支払額等の情報を含む。要求部１３２は、このような取引情報を参照することによって、ユーザの給与額を取得してもよい。
【００６３】
要求部１３２は、設定部１３５によって設定された報酬（例えば、成果報酬）を求める要求を、企業の企業装置２０に送信する。例えば、要求部１３２は、ユーザの企業における就業期間に応じた報酬であって、企業から所定の求人情報サービスに支払われる報酬を求める要求を、企業の企業装置２０に送信する。例えば、要求部１３２は、ユーザの企業における就業期間の間に企業から所定の求人情報サービスに支払われる報酬であって、設定部１３５によって設定された報酬を求める要求を、企業の企業装置２０に送信する。
【００６４】
要求部１３２は、設定部１３５によって設定された報酬（例えば、成果報酬）を求める要求を、企業の企業装置２０に定期的に送信してもよい。例えば、要求部１３２は、ユーザの企業における就業期間に応じた報酬であって、企業から所定の求人情報サービスに支払われる報酬を求める要求を、企業の企業装置２０に定期的に送信してもよい。例えば、要求部１３２は、ユーザの企業における就業期間の間に企業から所定の求人情報サービスに支払われる報酬であって、設定部１３５によって設定された報酬を求める要求を、企業の企業装置２０に定期的に送信してもよい。
【００６５】
一例では、要求部１３２は、成果報酬の支払要求を送信する。例えば、設定部１３５によって設定された成果報酬の支払要求を、企業装置２０に送信する。上述のように、成果報酬は、企業から所定の求人情報サービスに支払われる報酬に相当する。
【００６６】
（受信部１３３）
受信部１３３は、報酬モデルの報酬モデル情報を受信する。例えば、受信部１３３は、所定のサーバ装置から、報酬モデル情報を受信する。受信部１３３は、受信された報酬モデル情報を、報酬モデル情報記憶部１２１に格納してもよい。
【００６７】
受信部１３３は、報酬モデルの設定を受け付けるユーザインタフェースを提供してもよい。そして、受信部１３３は、提供されたユーザインタフェースを介して報酬モデルの設定を受け付けることによって、報酬モデル情報を取得してもよい。受信部１３３は、取得された報酬モデル情報を、報酬モデル情報記憶部に格納してもよい。
【００６８】
受信部１３３は、ユーザが企業に採用されたことを確認した確認情報を、企業装置２０から受信してもよい。加えて、受信部１３３は、企業がユーザの企業における就業期間に応じた報酬を所定の求人情報サービスに支払うことに同意することを示す同意情報を、企業装置２０から受信してもよい。例えば、受信部１３３は、企業がユーザの企業における就業期間の間に所定の求人情報サービスに報酬を支払うことに同意することを示す同意情報を、企業装置２０から受信してもよい。
【００６９】
受信部１３３は、ユーザの金融機関の口座情報を、ユーザ装置１０から受信してもよい。例えば、受信部１３３は、ユーザの金融機関の口座情報を、給与受取口座の口座情報として受信してもよい。
【００７０】
受信部１３３は、ユーザのデジタル通貨の口座情報を、ユーザ装置１０から受信してもよい。例えば、受信部１３３は、ユーザのデジタル通貨の口座情報を、インセンティブ受取口座の口座情報として受信してもよい。
【００７１】
受信部１３３は、ユーザの給与の給与情報を受信する。例えば、受信部１３３は、金融機関の金融機関装置２００から、給与情報を受信する。受信部１３３は、金融機関の金融機関装置２００から、給与情報を定期的に受信してもよい。受信部１３３は、受信された給与情報を、給与情報記憶部１２２に格納してもよい。受信部１３３は、ユーザの給与額の提供の承認を示す承認情報を、金融機関装置２００から受信してもよい。
【００７２】
一例では、受信部１３３は、給与額を受信する。例えば、受信部１３３は、金融機関の金融機関装置２００から、ユーザの給与額を受信する。
【００７３】
受信部１３３は、企業の企業装置２０から、ユーザの給与の給与情報を受信してもよい。
【００７４】
（取得部１３４）
取得部１３４は、報酬モデルの報酬モデル情報を取得する。取得部１３４は、例えば、受信部１３３によって受信された報酬モデル情報を取得する。取得部１３４は、報酬モデル情報記憶部１２１から、報酬モデル情報を取得してもよい。
【００７５】
取得部１３４は、ユーザの給与の給与情報を取得する。取得部１３４は、例えば、受信部１３３によって受信された給与情報を取得する。取得部１３４は、給与情報記憶部１２２から、給与情報を取得してもよい。
【００７６】
取得部１３４は、採用の報酬の報酬情報を取得する。取得部１３４は、例えば、報酬情報記憶部１２３から、報酬情報を取得する。
【００７７】
（設定部１３５）
設定部１３５は、受付部１３１によってユーザ情報が受け付けられた場合に、ユーザの給与とは異なる報酬であって、ユーザの企業における就業期間に応じた報酬を設定する。例えば、設定部１３５は、受付部１３１によってユーザ情報が受け付けられた場合に、ユーザの企業における就業期間に応じた報酬であって、ユーザの給与とは別の報酬を設定する。例えば、設定部１３５は、受付部１３１によってユーザ情報が受け付けられた場合に、ユーザの企業における就業期間に応じた報酬であって、ユーザの給与とは個別にユーザに支払われる報酬を設定する。
【００７８】
例えば、設定部１３５は、受付部１３１によってユーザ情報が受け付けられた場合に、ユーザの企業における就業期間の間に所定の求人情報サービスからユーザに支払われる報酬を設定する。例えば、設定部１３５は、就業期間に企業からユーザに支払われる給与に基づいて、所定の求人情報サービスからユーザに支払われる報酬を設定する。例えば、設定部１３５は、就業期間に企業からユーザに支払われる給与に基づいて、就業期間の間に所定の求人情報サービスからユーザに支払われる報酬を設定する。
【００７９】
例えば、設定部１３５は、ユーザに支払われる給与の所定の割合を、所定の求人情報サービスからユーザに支払われる報酬として設定する。例えば、設定部１３５は、ユーザに支払われる給与の所定の割合を、就業期間の間に所定の求人情報サービスからユーザに支払われる報酬として設定する。
【００８０】
すなわち、設定装置１００は、求人情報サービスを通じて企業に採用されたことに対する報酬であって、就業期間に応じて提供される報酬を、給与とは個別に提供する。換言すると、設定装置１００は、求人情報サービスを用いて採用されたことに対するインセンティブを、就業期間に応じて提供する。例えば、設定装置１００は、就業期間が長い程、インセンティブの額を増額する。
【００８１】
設定部１３５は、取得部１３４によって取得された報酬モデル情報および給与情報に基づいて、所定の求人情報サービスからユーザに支払われる報酬を設定してもよい。例えば、設定部１３５は、報酬モデル情報および給与情報に基づいて、ユーザの企業における就業期間の間に所定の求人情報サービスからユーザに支払われる報酬を設定してもよい。
【００８２】
設定部１３５は、受付部１３１によってユーザ情報が受け付けられた場合に、ユーザの企業における就業期間に応じた報酬であって、企業から所定の求人情報サービスに支払われる報酬を設定する。例えば、設定部１３５は、受付部１３１によってユーザ情報が受け付けられた場合に、ユーザの企業における就業期間に応じて企業から所定の求人情報サービスに支払われる報酬を設定する。例えば、設定部１３５は、受付部１３１によってユーザ情報が受け付けられた場合に、ユーザの企業における就業期間の間に企業から所定の求人情報サービスに支払われる報酬を設定する。
【００８３】
例えば、設定部１３５は、就業期間に企業からユーザに支払われる給与に基づいて、企業から所定の求人情報サービスに支払われる報酬を設定する。例えば、設定部１３５は、就業期間に企業からユーザに支払われる給与に基づいて、就業期間の間に企業から所定の求人情報サービスに支払われる報酬を設定する。
【００８４】
例えば、設定部１３５は、ユーザに支払われる給与の所定の割合を、企業から所定の求人情報サービスに支払われる報酬として設定する。例えば、設定部１３５は、ユーザに支払われる給与の所定の割合を、就業期間の間に企業から所定の求人情報サービスに支払われる報酬として設定する。
【００８５】
設定部１３５は、取得部１３４によって取得された報酬モデル情報および給与情報に基づいて、企業から所定の求人情報サービスに支払われる報酬を設定してもよい。例えば、設定部１３５は、報酬モデル情報および給与情報に基づいて、ユーザの企業における就業期間の間に企業から所定の求人情報サービスに支払われる報酬を設定してもよい。
【００８６】
一例では、設定部１３５は、就業期間に応じた成果報酬とインセンティブを設定する。例えば、設定部１３５は、給与額に基づいて、就業期間の間に支払われる成果報酬とインセンティブを設定する。上述のように、成果報酬は、企業から所定の求人情報サービスに支払われる報酬に相当する。一方、インセンティブは、所定の求人情報サービスからユーザにデジタル通貨で支払われる報酬に相当する。
【００８７】
例えば、設定部１３５は、金融機関装置２００から提供されたユーザの給与額に基づいて、ユーザの企業における就業期間の間に企業から所定の求人情報サービスに支払われる成果報酬を設定する。さらに、設定部１３５は、金融機関装置２００から提供されたユーザの給与額に基づいて、ユーザの企業における就業期間の間に所定の求人情報サービスからユーザに支払われるインセンティブを設定する。
【００８８】
設定部１３５は、ユーザの企業における就業期間の間に所定の求人情報サービスからユーザに支払われる報酬を定期的に設定してもよい。例えば、設定部１３５は、ユーザの企業における就業期間の間、就業期間に応じた報酬であって、ユーザの給与とは個別にユーザに支払われる報酬を定期的に設定してもよい。例えば、設定部１３５は、ユーザの企業における就業期間の間、就業期間の間に所定の求人情報サービスからユーザに支払われる報酬を定期的に設定してもよい。
【００８９】
また、設定部１３５は、ユーザの企業における就業期間の間に企業から所定の求人情報サービスに支払われる報酬を定期的に設定してもよい。例えば、設定部１３５は、ユーザの企業における就業期間の間、就業期間に応じた報酬であって、企業から所定の求人情報サービスに支払われる報酬を定期的に設定してもよい。例えば、設定部１３５は、ユーザの企業における就業期間の間、就業期間の間に企業から所定の求人情報サービスに支払われる報酬を定期的に設定してもよい。
【００９０】
例えば、設定部１３５は、ユーザの企業における就業期間の間、就業期間の間に所定の求人情報サービスからユーザに支払われる報酬を毎月自動的に設定してもよい。さらに、設定部１３５は、ユーザの企業における就業期間の間、就業期間の間に企業から所定の求人情報サービスに支払われる報酬を毎月自動的に設定してもよい。
【００９１】
一例では、設定部１３５は、ある月の給与額の所定割合（例えば、５％）を、ある月の給与額の所定割合（例えば、５％）をその月の成果報酬として設定する。さらに、設定部１３５は、ある月の給与額の所定割合（例えば、３％）をその月のインセンティブとして設定する。例として、ユーザのある月の給与額が「１０万円」であると仮定する。この例では、設定部１３５は、「５０００円（すなわち、１０万円の５％）」をその月の成果報酬として設定する。さらに、設定部１３５は、「３０００円（すなわち、１０万円の３％）」をその月のインセンティブとして設定する。この場合、５０００円の成果報酬が、３０００円のインセンティブの原資となる。
【００９２】
なお、設定部１３５は、ユーザの企業における就業期間に応じた報酬であって、企業から所定の求人情報サービスに支払われる報酬として、所定額の成果報酬を設定してもよい。例えば、設定部１３５は、ある就業期間に応じた成果報酬として、所定額の成果報酬を設定してもよい。言い換えると、ある就業期間に応じた成果報酬の額は、固定されていてもよい。一例として、１カ月の成果報酬の額が、所定額（例えば、「５０００円」）に固定されていてもよい。この例では、設定部１３５は、所定額の成果報酬を、ある月の成果報酬として設定してもよい。
【００９３】
なお、設定部１３５は、ユーザの給与とは異なる報酬であって、ユーザの企業における就業期間に応じた報酬として、所定額のインセンティブを設定してもよい。例えば、設定部１３５は、ユーザの企業における就業期間に応じた報酬であって、ユーザの給与とは個別にユーザに支払われる報酬として、所定額のデジタル通貨を設定してもよい。例えば、設定部１３５は、ユーザの企業における就業期間の間に所定の求人情報サービスからユーザに支払われる報酬として、所定額のデジタル通貨を設定してもよい。例えば、設定部１３５は、所定額のデジタル通貨を、ある月のインセンティブとして設定してもよい。
【００９４】
また、ユーザの企業における就業期間に応じた報酬であって、企業から所定の求人情報サービスに支払われる報酬として、所定額のデジタル通貨を設定してもよい。例えば、設定部１３５は、ユーザの企業における就業期間の間に企業から所定の求人情報サービスに支払われるに支払われる報酬として、所定額のデジタル通貨を設定してもよい。例えば、設定部１３５は、所定額のデジタル通貨を、ある月の成果報酬として設定してもよい。
【００９５】
設定部１３５は、設定された報酬を示す情報を、採用の報酬の報酬情報として生成してもよい。設定部１３５は、受信部１３３によって受信されたユーザのデジタル通貨の口座情報に基づいて、設定された報酬が所定のデジタル通貨で支払われることを示す報酬情報を生成してもよい。設定部１３５は、生成された報酬情報を、報酬情報記憶部１２３に格納してもよい。
【００９６】
なお、設定部１３５は、ユーザの給与とは異なる報酬であって、ユーザの企業における就業期間に応じた報酬として、法定通貨で支払われる報酬を設定してもよい。例えば、設定部１３５は、ユーザの企業における就業期間に応じた報酬であって、ユーザの給与とは別の報酬として、法定通貨で支払われる報酬を設定してもよい。例えば、設定部１３５は、ユーザの企業における就業期間に応じた報酬であって、ユーザの給与とは個別にユーザに支払われる報酬として、法定通貨で支払われる報酬を設定してもよい。例えば、設定部１３５は、ユーザの企業における就業期間の間に所定の求人情報サービスからユーザに支払われる報酬として、法定通貨で支払われる報酬を設定してもよい。
【００９７】
（支払部１３６）
支払部１３６は、設定部１３５によって設定された報酬を示す報酬情報を、金融取引を処理する取引処理装置に送信することで、報酬の支払処理を制御する。例えば、支払部１３６は、設定部１３５によって設定された報酬が所定のデジタル通貨で支払われることを示す報酬情報を、取引処理装置に送信することで、報酬の支払処理を制御する。支払部１３６は、設定部１３５によって設定された報酬を示す報酬情報を、金融取引を処理する取引処理装置に定期的に送信してもよい。
【００９８】
一例では、支払部１３６は、インセンティブの支払処理を要求する。例えば、支払部１３６は、ユーザ装置１０から提供されたデジタル通貨の口座情報に基づいて、設定部１３５によって設定されたインセンティブの支払処理を、デジタル通貨装置３００に要求する。このようにして、デジタル通貨装置３００は、支払部１３６からの要求に応じて、所定の口座（例えば、所定の求人情報サービスの口座）からユーザの口座へインセンティブをデジタル通貨で支払うことができる。所定の求人情報サービスに対応する企業は、デジタル通貨装置３００に対応する企業の関係企業またはグループ企業であってもよい。
【００９９】
デジタル通貨は、例えば、所定のサービス（例えば、所定の求人情報サービスに対応する企業のサービス）で利用可能な電子マネーである。デジタル通貨は、暗号通貨（仮想通貨とも呼ばれる）等の通貨であってもよい。
【０１００】
上述のインセンティブは、例えば、デジタル通貨（例えば、電子マネー）等の通貨であるが、これに限定されるものではない。上述のインセンティブは、ポイント（例えば、所定の求人情報サービスに対応する企業によって発行されるポイント）であってもよい。また、上述のインセンティブは、法定通貨であってもよい。
【０１０１】
上述の成果報酬は、例えば、法定通貨であるが、これに限定されるものではない。上述の成果報酬は、デジタル通貨（例えば、電子マネー）等の通貨であってもよい。また、上述の成果報酬は、ポイント（例えば、所定の求人情報サービスに対応する企業によって発行されるポイント）であってもよい。
【０１０２】
なお、デジタル通貨装置３００は、支払部１３６からの要求に応じて、所定の口座（例えば、所定の求人情報サービスの口座）からユーザの口座へインセンティブをポイントで支払ってもよい。また、デジタル通貨装置３００は、支払部１３６からの要求に応じて、所定の口座（例えば、所定の求人情報サービスの口座）からユーザの口座へインセンティブを法定通貨で支払ってもよい。
【０１０３】
（提供部１３７）
提供部１３７は、求人情報サービスを提供する。例えば、提供部１３７は、ユーザが求人情報を検索することができる求人情報検索サービスを、ユーザ装置１０に提供する。提供部１３７は、ユーザ装置１０に対して、ウェブサイトまたはアプリケーションを介して、求人メディアに関連するメディアコンテンツを、ユーザ装置１０に提供してもよい。例えば、提供部１３７は、アルバイトに関する情報の検索を可能とするメディアコンテンツを、ユーザ装置１０に提供してもよい。
【０１０４】
〔３．設定処理のフロー〕
次に、実施形態に係る設定装置１００による設定処理の手順について説明する。図６は、実施形態に係る設定装置１００による設定処理手順を示すフローチャートである。
【０１０５】
図６に示すように、はじめに、設定装置１００は、ユーザが所定の求人情報サービスを通して企業に採用されたことを示すユーザ情報が受け付けられたか否かを判定する（ステップＳ１０１）。そして、設定装置１００は、ユーザ情報が受け付けられていない場合に（ステップＳ１０１；Ｎｏ）、ユーザ情報が受け付けられるまで待機する。
【０１０６】
一方、設定装置１００は、ユーザ情報が受け付けられた場合に（ステップＳ１０１；Ｙｅｓ）、ユーザの給与とは異なる報酬であって、ユーザの企業における就業期間に応じた報酬を設定する（ステップＳ１０２）。例えば、設定装置１００は、ユーザの企業における就業期間に応じた報酬であって、ユーザの給与とは個別にユーザに支払われる報酬を設定する。
【０１０７】
例えば、ユーザ情報が受け付けられた場合に、ユーザの企業における就業期間の間に所定の求人情報サービスからユーザに支払われる報酬を設定する。例えば、設定装置１００は、就業期間に企業からユーザに支払われる給与に基づいて、所定の求人情報サービスからユーザに支払われる報酬を設定する。例えば、設定装置１００は、ユーザに支払われる給与の所定の割合を、所定の求人情報サービスからユーザに支払われる報酬として設定する。
【０１０８】
次いで、設定装置１００は、ユーザの企業における就業期間に応じた報酬であって、企業から所定の求人情報サービスに支払われる報酬を設定する（ステップＳ１０３）。例えば、ユーザの企業における就業期間に応じて企業から所定の求人情報サービスに支払われる報酬を設定する。例えば、ユーザの企業における就業期間の間に企業から所定の求人情報サービスに支払われる報酬を設定する。
【０１０９】
例えば、設定装置１００は、就業期間に企業からユーザに支払われる給与に基づいて、企業から所定の求人情報サービスに支払われる報酬を設定する。例えば、設定装置１００は、ユーザに支払われる給与の所定の割合を、企業から所定の求人情報サービスに支払われる報酬として設定する。
【０１１０】
〔４．変形例〕
上述の実施形態に係る設定装置１００は、上記の実施形態以外にも、種々の異なる形態で実施されてよい。そこで、以下では、上記の設定装置１００の他の実施形態について説明する。
【０１１１】
〔４−１．金融機関装置が存在しない場合の報酬の設定〕
上記実施形態では、企業の企業装置２０が、ユーザの給与の支払処理を、金融機関の金融機関装置２００に要求しているが、これに限定されるものではない。他の実施形態では、企業の企業装置２０は、ユーザの給与の支払処理を、デジタル通貨装置３００に要求してもよい。
【０１１２】
また、他の実施形態では、支払部１３６は、企業から所定の求人情報サービスに支払われる報酬であって、設定部１３５によって設定された報酬を示す報酬情報を、デジタル通貨装置３００に送信することで、かかる報酬の支払処理を制御してもよい。例えば、支払部１３６は、かかる報酬が所定のデジタル通貨で支払われることを示す報酬情報を、デジタル通貨装置３００に送信することで、かかる報酬の支払処理を制御してもよい。
【０１１３】
以下の説明では、図７を参照し、金融機関装置２００が存在しない場合の報酬の設定について説明する。図７は、変形例に係る設定処理の一例を示す図である。図７の例では、変形例に係る設定システム２によって設定処理が行われる。
【０１１４】
図７に示すように、設定システム２には、ユーザ装置１０と、企業装置２０と、設定装置１００と、デジタル通貨装置３００とが含まれる。しかし、設定システム２には、金融機関装置２００が含まれない。図７の例では、上記の求人情報サービスに対応する企業は、例えば、デジタル通貨装置３００に対応する企業の関係企業またはグループ企業である。
【０１１５】
図７の例では、はじめに、提供部１３７は、ユーザＵ１が求人情報を検索することができる求人情報検索サービスを、ユーザ装置１０に提供する（ステップＳ２１）。
【０１１６】
次いで、受付部１３１は、ユーザＵ１が上記の求人情報サービスを経由して企業Ｃ１に採用されたという通知を、ユーザ装置１０から受信する（ステップＳ２２）。
【０１１７】
次いで、要求部１３２は、ユーザＵ１の採用決定の確認要求を、企業Ｃ１の企業装置２０に送信する（ステップＳ２３）。
【０１１８】
図７の例においては、受信部１３３が、ユーザＵ１が企業Ｃ１に採用されたことを確認した確認情報を企業装置２０から受信した場合に、要求部１３２は、「企業Ｃ１からの給与」と「上記の求人情報サービスからのインセンティブ」とを受け取るための口座の口座情報の要求を、ユーザ装置１０に送信する。要求部１３２からの要求の受信に応じて、ユーザ装置１０は、ユーザＵ１のデジタル通貨Ｄ１の口座情報を、給与およびインセンティブの受取口座の口座情報として設定装置１００に提供する。
【０１１９】
上記のユーザＵ１の口座情報に加えて、要求部１３２は、上記の求人情報サービスに成果報酬を支払うための口座の口座情報の要求を、企業装置２０に送信する。要求部１３２からの要求の受信に応じて、企業装置２０は、企業Ｃ１のデジタル通貨Ｄ１の口座情報を、成果報酬の支払口座の口座情報として設定装置１００に提供する。
【０１２０】
次いで、企業Ｃ１の企業装置２０が、ユーザＵ１の給与の支払処理を、デジタル通貨装置３００に要求する（ステップＳ２４）。企業装置２０からの要求に応じて、デジタル通貨装置３００は、企業Ｃ１の口座からユーザＵ１の口座へ給与をデジタル通貨Ｄ１で支払う。
【０１２１】
次いで、デジタル通貨装置３００は、ユーザＵ１の給与額を、設定装置１００に提供する（ステップＳ２５）。例えば、デジタル通貨装置３００は、ユーザの給与額を定期的に提供することを求める要求を、設定装置１００から受信する。この場合、デジタル通貨装置３００は、ユーザＵ１の給与額を、設定装置１００に定期的に提供する。例えば、デジタル通貨装置３００は、企業Ｃ１の口座からユーザＵ１の口座へ給与をデジタル通貨Ｄ１で支払った場合に、デジタル通貨装置３００は、支払われた給与額を、設定装置１００に提供する。
【０１２２】
次いで、設定部１３５は、就業期間に応じた成果報酬とインセンティブを設定する（ステップＳ２６）。例えば、設定部１３５は、デジタル通貨装置３００から提供された給与額に基づいて、就業期間の間に支払われる成果報酬とインセンティブを設定する。図７の例では、設定部１３５は、デジタル通貨装置３００から提供されたユーザＵ１の給与額に基づいて、ユーザＵ１の企業Ｃ１における就業期間の間に企業Ｃ１から上記の求人情報サービスに支払われる成果報酬を設定する。さらに、設定部１３５は、デジタル通貨装置３００から提供されたユーザＵ１の給与額に基づいて、ユーザＵ１の企業Ｃ１における就業期間の間に上記の求人情報サービスからユーザＵ１に支払われるインセンティブを設定する。
【０１２３】
その後、支払部１３６は、ユーザ装置１０から提供されたデジタル通貨Ｄ１の口座情報に基づいて、設定された成果報酬および設定されたインセンティブの支払処理を、デジタル通貨装置３００に要求する。設定装置１００からの要求に応じて、デジタル通貨装置３００は、企業Ｃ１の口座から所定の口座（例えば、上記の求人情報サービスの口座）へ成果報酬をデジタル通貨Ｄ１で支払う。さらに、デジタル通貨装置３００は、所定の口座（例えば、上記の求人情報サービスの口座）からユーザＵ１の口座へインセンティブをデジタル通貨Ｄ１で支払う。
【０１２４】
これにより、設定装置１００は、金融機関の口座とデジタル通貨の口座とを個別に管理することを不要にすることができる。加えて、設定装置１００は、金融機関の振込手数料を不要とすることができる。
【０１２５】
〔４−２．就業期間の長さに基づく報酬〕
設定部１３５は、ユーザの企業における就業期間の長さに基づいて、所定の求人情報サービスから前記ユーザに支払われる報酬を設定してもよい。例えば、設定部１３５は、ユーザの企業における就業期間の長さに基づいて、就業期間に応じた報酬であって、ユーザの給与とは個別にユーザに支払われる報酬を設定してもよい。例えば、設定部１３５は、ユーザの企業における就業期間の長さに基づいて、就業期間の間に所定の求人情報サービスからユーザに支払われる報酬を設定してもよい。
【０１２６】
また、設定部１３５は、ユーザの企業における就業期間の長さに基づいて、企業から所定の求人情報サービスに支払われる報酬を設定してもよい。例えば、設定部１３５は、ユーザの企業における就業期間の長さに基づいて、就業期間に応じた報酬であって、企業から所定の求人情報サービスに支払われる報酬を設定してもよい。例えば、設定部１３５は、ユーザの企業における就業期間の長さに基づいて、就業期間の間に企業から所定の求人情報サービスに支払われる報酬を設定してもよい。
【０１２７】
例えば、設定部１３５は、就業期間の長さが第１の長さよりも長い第２の長さである場合の報酬が、就業期間の長さが第１の長さである場合の報酬よりも高くなるように、就業期間の間に所定の求人情報サービスからユーザに支払われる報酬を設定してもよい。また、例えば、就業期間の長さが第１の長さよりも長い第２の長さである場合の報酬が、就業期間の長さが第１の長さである場合の報酬よりも高くなるように、就業期間の間に企業から所定の求人情報サービスに支払われる報酬を設定してもよい。
【０１２８】
例として、第１のユーザの企業における就業期間の長さが「３年」であると仮定する。また、第２のユーザの企業における就業期間の長さが「１年」であると仮定する。この例では、設定部１３５は、例えば、「第１のユーザの月給×７％」を、第１のユーザに対応する成果報酬として設定する。さらに、設定部１３５は、例えば、「第１のユーザの月給×４％」を、第１のユーザに対応するインセンティブとして設定する。一方、設定部１３５は、例えば、「第２のユーザの月給×５％」を、第２のユーザに対応する成果報酬として設定する。さらに、設定部１３５は、「第２のユーザの月給×３％」を、第２のユーザに対応するインセンティブとして設定する。
【０１２９】
〔４−３．就業期間の長さに基づく金融サービスの決定〕
設定装置１００の制御部１３０は、ユーザの就業履歴に基づいて、ユーザに提供される金融サービスを決定する決定部１３８を有してもよい。決定部１３８は、ユーザの企業における就業期間を示す就業履歴情報に基づいて、ユーザに提供される金融サービスを決定してもよい。
【０１３０】
決定部１３８は、上述のユーザの就業履歴情報を生成してもよい。例えば、取得部１３４は、給与情報記憶部１２２から、ユーザの給与情報を取得する。この場合、決定部１３８は、取得部１３４によって取得されたユーザの給与情報に基づいて、ユーザの企業における就業期間の長さを決定してもよい。そして、決定部１３８は、決定された就業期間の長さに基づいて、ユーザの就業履歴情報を生成してもよい。
【０１３１】
決定部１３８は、受付部１３１によってユーザが所定の求人情報サービスを通して企業に採用されたことを示すユーザ情報が受け付けられた場合に、ユーザの就業履歴を示す就業履歴情報を生成してもよい。この場合、決定部１３８は、受け付けられたユーザ情報に基づいて、ユーザの就業開始日時を示す就業履歴情報を生成してもよい。就業履歴に関しては、受付部１３１は、ユーザの就業終了日時を示すユーザ情報を受け付けてもよい。決定部１３８は、受付部１３１によってユーザの就業終了日時を示すユーザ情報が受け付けられた場合に、受け付けられたユーザ情報に基づいて、ユーザの就業開始日時およびユーザの就業終了日時を示す就業履歴情報を生成してもよい。
【０１３２】
決定部１３８は、ユーザの過去の就業履歴に基づいて、ユーザの信用度を決定してもよい。例えば、決定部１３８は、ユーザのある１つの企業における就業期間の長さに基づいて、ユーザの信用度を決定してもよい。例えば、決定部１３８は、ユーザのある１つの企業における就業期間の長さが第１の長さよりも長い第２の長さである場合の信用度が、就業期間の長さが第１の長さである場合の信用度よりも高くなるように、ユーザの信用度を決定してもよい。
【０１３３】
提供部１３７は、ユーザの信用度を、金融機関の金融機関装置２００に提供する。例えば、決定部１３８によって決定されたユーザの信用度を、金融機関装置２００に提供する。金融機関装置２００は、ユーザが所定の金融サービス（例えば、給与の前払い）を希望することを示す情報を受け付けた場合に、金融機関装置２００は、提供部１３７によって提供されたユーザの信用度に基づいて、所定のサービスがユーザに提供される金融サービスであるか否かを決定する。所定のサービスがユーザに提供される金融サービスであると決定された場合に、金融機関装置２００は、所定のサービスを実行する。例えば、金融機関装置２００は、給与の前払い処理（すなわち、給与の前払いの決済）を実行する。給与がユーザの金融機関の口座に支払われた場合に、金融機関装置２００は、給与の前払い分の金額がユーザから金融機関に支払われるように、給与の前払いの決済処理を実行する。
【０１３４】
決定部１３８は、ユーザの信用度に基づいて、ユーザに提供される金融サービスを決定してもよい。例えば、決定部１３８は、決定されたユーザの信用度に基づいて、給与の前払いを、ユーザに提供される金融サービスとして決定してもよい。この場合、提供部１３７は、決定部１３８によって決定された金融サービスを示すサービス情報を、金融機関の金融機関装置２００に提供してもよい。金融機関装置２００が、ユーザが所定の金融サービス（例えば、給与の前払い）を希望することを示す情報を受け付けた場合に、金融機関装置２００は、提供部１３７によって提供されたサービス情報に基づいて、所定のサービスがユーザに提供される金融サービスであるか否かを決定する。所定のサービスがユーザに提供される金融サービスであると決定された場合には、金融機関装置２００は、所定のサービスを実行する。
【０１３５】
決定部１３８は、ユーザの信用情報であって、ユーザの企業における就業期間の長さに関連する信用情報に基づいて、ユーザに提供される金融サービスを決定してもよい。このようなユーザの信用情報は、ユーザの決済履歴または購買履歴に関連する与信スコアを含んでもよい。
【０１３６】
決定部１３８は、上述のユーザの信用情報を生成してもよい。例えば、取得部１３４は、給与情報記憶部１２２から、ユーザの給与情報を取得する。この場合、決定部１３８は、取得部１３４によって取得されたユーザの給与情報に基づいて、ユーザの企業における就業期間の長さを決定してもよい。そして、決定部１３８は、決定された就業期間の長さに基づいて、ユーザの信用情報を生成してもよい。
【０１３７】
決定部１３８は、上述のユーザの信用情報が所定の条件を満たすか否かを判定してもよい。そして、ユーザの信用情報が所定の条件を満たすと判定された場合に、決定部１３８は、給与の前払い、給与の日払いまたは給与の週払いを、ユーザに提供される金融サービスとして決定してもよい。給与の前払い、給与の日払いまたは給与の週払いがユーザに提供される金融サービスとして決定された場合に、決定部１３８は、給与の前払い、給与の日払いまたは給与の週払いを、金融機関装置２００に要求してもよい。また、給与の前払い、給与の日払いまたは給与の週払いがユーザに提供される金融サービスとして決定された場合に、決定部１３８は、給与の前払い、給与の日払いまたは給与の週払いを、デジタル通貨装置３００に要求してもよい。この場合、給与の前払い、給与の日払いまたは給与の週払いは、所定のデジタル通貨により実行される。
【０１３８】
〔４−４．紹介インセンティブ〕
受付部１３１は、所定の企業に就業したことがあるユーザから紹介された他のユーザが所定の企業に採用されたことを示す他のユーザのユーザ情報を受け付けてもよい。すなわち、受付部１３１は、ある企業に就業したことがあるユーザから紹介された他のユーザがその企業に採用されたことを示す他のユーザのユーザ情報を受け付けてもよい。言い換えると、受付部１３１は、ある企業での就業履歴があるユーザから紹介された他のユーザがその企業に採用されたことを示す他のユーザのユーザ情報を受け付けてもよい。
【０１３９】
設定部１３５は、受付部１３１によって他のユーザのユーザ情報が受け付けられた場合に、所定の企業に就業したことがあるユーザに支払われる報酬を設定してもよい。例えば、設定部１３５は、受付部１３１によって他のユーザのユーザ情報が受け付けられた場合に、ユーザに支払われる所定のインセンティブ（例えば、電子マネー、暗号通貨、ポイント、または法定通貨）を設定してもよい。この場合、支払部１３６は、設定部１３５によって設定された所定のインセンティブの支払処理を、デジタル通貨装置３００に要求してもよい。
【０１４０】
すなわち、設定装置１００（例えば、設定装置１００の支払部１３６）は、ある企業での就業履歴があるユーザから紹介された他のユーザがその企業に採用された場合に、他のユーザをその企業に紹介したユーザに所定のインセンティブを付与する。言い換えると、設定装置１００（例えば、設定装置１００の支払部１３６）は、他のユーザが、ある企業での就業履歴があるユーザの紹介で、その企業に採用された場合に、ユーザに所定のインセンティブを付与する。
【０１４１】
〔４−５．その他〕
また、上記実施形態において説明した各処理のうち、自動的に行われるものとして説明した処理の一部を手動的に行うこともできる。あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１４２】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１４３】
例えば、図２に示した記憶部１２０の一部又は全部は、設定装置１００によって保持されるのではなく、ストレージサーバ等に保持されてもよい。この場合、設定装置１００は、ストレージサーバにアクセスすることで、報酬モデル情報や給与情報等の各種情報を取得する。
【０１４４】
〔４−６．ハードウェア構成〕
また、上述してきた実施形態に係る設定装置１００は、例えば図８に示すような構成のコンピュータ１０００によって実現される。図８は、ハードウェア構成の一例を示す図である。コンピュータ１０００は、出力装置１０１０、入力装置１０２０と接続され、演算装置１０３０、一次記憶装置１０４０、二次記憶装置１０５０、出力ＩＦ（Interface）１０６０、入力ＩＦ１０７０、ネットワークＩＦ１０８０がバス１０９０により接続された形態を有する。
【０１４５】
演算装置１０３０は、一次記憶装置１０４０や二次記憶装置１０５０に格納されたプログラムや入力装置１０２０から読み出したプログラム等に基づいて動作し、各種の処理を実行する。一次記憶装置１０４０は、ＲＡＭ等、演算装置１０３０が各種の演算に用いるデータを一時的に記憶するメモリ装置である。また、二次記憶装置１０５０は、演算装置１０３０が各種の演算に用いるデータや、各種のデータベースが登録される記憶装置であり、ＲＯＭ(Read  Only  Memory)、ＨＤＤ、フラッシュメモリ等により実現される。
【０１４６】
出力ＩＦ１０６０は、モニタやプリンタといった各種の情報を出力する出力装置１０１０に対し、出力対象となる情報を送信するためのインタフェースであり、例えば、ＵＳＢ（Universal  Serial  Bus）やＤＶＩ（Digital  Visual  Interface）、ＨＤＭＩ（登録商標）（High  Definition  Multimedia  Interface）といった規格のコネクタにより実現される。また、入力ＩＦ１０７０は、マウス、キーボード、およびスキャナ等といった各種の入力装置１０２０から情報を受信するためのインタフェースであり、例えば、ＵＳＢ等により実現される。
【０１４７】
なお、入力装置１０２０は、例えば、ＣＤ（Compact  Disc）、ＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等から情報を読み出す装置であってもよい。また、入力装置１０２０は、ＵＳＢメモリ等の外付け記憶媒体であってもよい。
【０１４８】
ネットワークＩＦ１０８０は、ネットワークＮを介して他の機器からデータを受信して演算装置１０３０へ送り、また、ネットワークＮを介して演算装置１０３０が生成したデータを他の機器へ送信する。
【０１４９】
演算装置１０３０は、出力ＩＦ１０６０や入力ＩＦ１０７０を介して、出力装置１０１０や入力装置１０２０の制御を行う。例えば、演算装置１０３０は、入力装置１０２０や二次記憶装置１０５０からプログラムを一次記憶装置１０４０上にロードし、ロードしたプログラムを実行する。
【０１５０】
例えば、コンピュータ１０００が設定装置１００として機能する場合、コンピュータ１０００の演算装置１０３０は、一次記憶装置１０４０上にロードされたプログラムを実行することにより、制御部１３０の機能を実現する。
【０１５１】
〔５．効果〕
上述してきたように、実施形態に係る設定装置１００は、受付部１３１と、設定部１３５とを有する。受付部１３１は、ユーザが所定の求人情報サービスを通して企業に採用されたことを示すユーザ情報を受け付ける。設定部１３５は、受付部１３１によってユーザ情報が受け付けられた場合に、ユーザの企業における就業期間に応じた報酬であって、企業から所定の求人情報サービスに支払われる報酬を設定する。
【０１５２】
また、実施形態に係る設定装置１００において、設定部１３５は、就業期間に企業からユーザに支払われる給与に基づいて、企業から所定の求人情報サービスに支払われる報酬を設定する。
【０１５３】
また、実施形態に係る設定装置１００において、設定部１３５は、ユーザに支払われる給与の所定の割合を、企業から所定の求人情報サービスに支払われる報酬として設定する。
【０１５４】
また、実施形態に係る設定装置１００において、設定部１３５は、就業期間の間に企業から所定の求人情報サービスに支払われる報酬を定期的に設定する。
【０１５５】
また、実施形態に係る設定装置１００において、設定部１３５は、就業期間の長さに基づいて、企業から所定の求人情報サービスに支払われる報酬を設定する。
【０１５６】
また、実施形態に係る設定装置１００は、ユーザの就業履歴に基づいて、ユーザに提供される金融サービスを決定する決定部１３８を有する。
【０１５７】
また、実施形態に係る設定装置１００は、設定部１３５によって設定された報酬を示す報酬情報を、金融取引を処理する取引処理装置に送信することで、報酬の支払処理を制御する支払部１３６を有する。
【０１５８】
また、実施形態に係る設定装置１００において、支払部１３６は、設定部１３５によって設定された報酬が所定のデジタル通貨で支払われることを示す報酬情報を、取引処理装置に送信することで、報酬の支払処理を制御する。
【０１５９】
また、実施形態に係る設定装置１００において、受付部１３１は、所定の企業に就業したことがあるユーザから紹介された他のユーザが所定の企業に採用されたことを示す他のユーザのユーザ情報を受け付ける。また、実施形態に係る設定装置１００において、設定部１３５は、受付部１３１によって他のユーザのユーザ情報が受け付けられた場合に、所定の企業に就業したことがあるユーザに支払われる報酬を設定する。
【０１６０】
上述した各処理により、設定装置１００は、採用コストに関するリスクを低減できる。
【０１６１】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１６２】
また、上述した設定装置１００は、複数のサーバコンピュータで実現してもよく、また、機能によっては外部のプラットフォーム等をＡＰＩ（Application  Programming  Interface）やネットワークコンピューティングなどで呼び出して実現するなど、構成は柔軟に変更できる。
【０１６３】
また、上述してきた「部（section、module、unit）」は、「手段」や「回路」などに読み替えることができる。例えば、受付部は、受付手段や受付回路に読み替えることができる。
【符号の説明】
【０１６４】
１  設定システム
２  設定システム
１０  ユーザ装置
２０  企業装置
１００  設定装置
１１０  通信部
１２０  記憶部
１２１  報酬モデル情報記憶部
１２２  給与情報記憶部
１２３  報酬情報記憶部
１３０  制御部
１３１  受付部
１３２  要求部
１３３  受信部
１３４  取得部
１３５  設定部
１３６  支払部
１３７  提供部
１３８  決定部
２００  金融機関装置
３００  デジタル通貨装置
【図１】
2020086799.tif 000003
【図２】
2020086799.tif 000004
【図３】
2020086799.tif 000005
【図４】
2020086799.tif 000006
【図５】
2020086799.tif 000007
【図６】
2020086799.tif 000008
【図７】
2020086799.tif 000009
【図８】
2020086799.tif 000010
【手続補正書】
【提出日】令和1年5月13日(2019.5.13)
【手続補正１】
【補正対象書類名】特許請求の範囲
【補正対象項目名】全文
【補正方法】変更
【補正の内容】
【特許請求の範囲】
【請求項１】
ユーザおよび企業を特定する情報を含み、当該ユーザが所定の求人情報サービスを通して当該企業に採用されたことを示すユーザ情報を受け付ける受付部と、
前記受付部によってユーザ情報が受け付けられた場合に、前記ユーザの前記企業における就業期間に前記企業から前記ユーザに支払われる給与に基づいて、当該就業期間の間に前記企業から前記所定の求人情報サービスに定期的に支払われる報酬を設定する設定部と、
を備えることを特徴とする設定装置。
【請求項２】
前記設定部は、
前記就業期間に前記企業から前記ユーザに支払われる給与に基づいて、前記企業から前記所定の求人情報サービスに支払われる報酬を設定する
ことを特徴とする請求項１に記載の設定装置。
【請求項３】
前記設定部は、
前記ユーザに支払われる前記給与の所定の割合を、前記企業から前記所定の求人情報サービスに支払われる報酬として設定する
ことを特徴とする請求項２に記載の設定装置。
【請求項４】
前記設定部は、
就業期間の間に前記企業から前記所定の求人情報サービスに支払われる報酬を定期的に設定する
ことを特徴とする請求項１〜３のうちいずれか１つに記載の設定装置。
【請求項５】
前記設定部は、
前記就業期間の長さに基づいて、前記企業から前記所定の求人情報サービスに支払われる報酬を設定する
ことを特徴とする請求項１〜４のうちいずれか１つに記載の設定装置。
【請求項６】
前記ユーザの就業履歴に基づいて、前記ユーザに提供される金融サービスを決定する決定部をさらに備える
ことを特徴とする請求項１〜５のうちいずれか１つに記載の設定装置。
【請求項７】
前記設定部によって設定された報酬を示す報酬情報を、金融取引を処理する取引処理装置に送信することで、当該報酬の支払処理を制御する支払部をさらに備える
ことを特徴とする請求項１〜６のうちいずれか１つに記載の設定装置。
【請求項８】
前記支払部は、
前記設定部によって設定された報酬が所定のデジタル通貨で支払われることを示す前記報酬情報を、前記取引処理装置に送信することで、当該報酬の支払処理を制御する
ことを特徴とする請求項７に記載の設定装置。
【請求項９】
前記受付部は、
所定の企業に就業したことがあるユーザから紹介された他のユーザが当該所定の企業に採用されたことを示す他のユーザのユーザ情報を受け付け、
前記設定部は、
前記受付部によって他のユーザのユーザ情報が受け付けられた場合に、前記所定の企業に就業したことがあるユーザに支払われる報酬を設定する
ことを特徴とする請求項１〜８のうちいずれか１つに記載の設定装置。
【請求項１０】
コンピュータが実行する設定方法であって、
ユーザおよび企業を特定する情報を含み、当該ユーザが所定の求人情報サービスを通して当該企業に採用されたことを示すユーザ情報を受け付ける受付工程と、
前記受付工程によってユーザ情報が受け付けられた場合に、前記ユーザの前記企業における就業期間に前記企業から前記ユーザに支払われる給与に基づいて、当該就業期間の間に前記企業から前記所定の求人情報サービスに定期的に支払われる報酬を設定する設定工程と、
を含むことを特徴とする設定方法。
【請求項１１】
ユーザおよび企業を特定する情報を含み、当該ユーザが所定の求人情報サービスを通して当該企業に採用されたことを示すユーザ情報を受け付ける受付手順と、
前記受付手順によってユーザ情報が受け付けられた場合に、前記ユーザの前記企業における就業期間に前記企業から前記ユーザに支払われる給与に基づいて、当該就業期間の間に前記企業から前記所定の求人情報サービスに定期的に支払われる報酬を設定する設定手順と、
をコンピュータに実行させることを特徴とする設定プログラム。
【手続補正書】
【提出日】令和1年10月23日(2019.10.23)
【手続補正１】
【補正対象書類名】特許請求の範囲
【補正対象項目名】全文
【補正方法】変更
【補正の内容】
【特許請求の範囲】
【請求項１】
ユーザおよび企業を特定する情報を含み、当該ユーザが所定の求人情報サービスを通して当該企業に採用されたことを示すユーザ情報を受け付ける受付部と、
前記受付部によってユーザ情報が受け付けられた場合に、前記ユーザの給与の支払い処理を行う金融機関の装置から取得された給与の額であって、前記ユーザの前記企業における就業期間に前記企業から前記ユーザに支払われる給与の額に基づいて、当該就業期間の間に前記給与の支払いに応じて前記企業から前記所定の求人情報サービスに定期的に支払われる報酬を設定する設定部と、
を備えることを特徴とする設定装置。
【請求項２】
前記設定部は、
前記就業期間に前記企業から前記ユーザに支払われる給与に基づいて、前記企業から前記所定の求人情報サービスに支払われる報酬を設定する
ことを特徴とする請求項１に記載の設定装置。
【請求項３】
前記設定部は、
前記ユーザに支払われる前記給与の所定の割合を、前記企業から前記所定の求人情報サービスに支払われる報酬として設定する
ことを特徴とする請求項２に記載の設定装置。
【請求項４】
前記設定部は、
就業期間の間に前記企業から前記所定の求人情報サービスに支払われる報酬を定期的に設定する
ことを特徴とする請求項１〜３のうちいずれか１つに記載の設定装置。
【請求項５】
前記設定部は、
前記就業期間の長さに基づいて、前記企業から前記所定の求人情報サービスに支払われる報酬を設定する
ことを特徴とする請求項１〜４のうちいずれか１つに記載の設定装置。
【請求項６】
前記ユーザの就業履歴に基づいて、前記ユーザに提供される金融サービスを決定する決定部をさらに備える
ことを特徴とする請求項１〜５のうちいずれか１つに記載の設定装置。
【請求項７】
前記設定部によって設定された報酬を示す報酬情報を、金融取引を処理する取引処理装置に送信することで、当該報酬の支払処理を制御する支払部をさらに備える
ことを特徴とする請求項１〜６のうちいずれか１つに記載の設定装置。
【請求項８】
前記支払部は、
前記設定部によって設定された報酬が所定のデジタル通貨で支払われることを示す前記報酬情報を、前記取引処理装置に送信することで、当該報酬の支払処理を制御する
ことを特徴とする請求項７に記載の設定装置。
【請求項９】
前記受付部は、
所定の企業に就業したことがあるユーザから紹介された他のユーザが当該所定の企業に採用されたことを示す他のユーザのユーザ情報を受け付け、
前記設定部は、
前記受付部によって他のユーザのユーザ情報が受け付けられた場合に、前記所定の企業に就業したことがあるユーザに支払われる報酬を設定する
ことを特徴とする請求項１〜８のうちいずれか１つに記載の設定装置。
【請求項１０】
コンピュータが実行する設定方法であって、
ユーザおよび企業を特定する情報を含み、当該ユーザが所定の求人情報サービスを通して当該企業に採用されたことを示すユーザ情報を受け付ける受付工程と、
前記受付工程によってユーザ情報が受け付けられた場合に、前記ユーザの給与の支払い処理を行う金融機関の装置から取得された給与の額であって、前記ユーザの前記企業における就業期間に前記企業から前記ユーザに支払われる給与の額に基づいて、当該就業期間の間に前記給与の支払いに応じて前記企業から前記所定の求人情報サービスに定期的に支払われる報酬を設定する設定工程と、
を含むことを特徴とする設定方法。
【請求項１１】
ユーザおよび企業を特定する情報を含み、当該ユーザが所定の求人情報サービスを通して当該企業に採用されたことを示すユーザ情報を受け付ける受付手順と、
前記受付手順によってユーザ情報が受け付けられた場合に、前記ユーザの給与の支払い処理を行う金融機関の装置から取得された給与の額であって、前記ユーザの前記企業における就業期間に前記企業から前記ユーザに支払われる給与の額に基づいて、当該就業期間の間に前記給与の支払いに応じて前記企業から前記所定の求人情報サービスに定期的に支払われる報酬を設定する設定手順と、
をコンピュータに実行させることを特徴とする設定プログラム。